(57)【要約】      （修正有）【課題】衛生的であり、悪臭の発生を抑制できる洗浄便座装置を提供する。【解決手段】便器の上面に開閉可能に取り付けられた便座２０及び便蓋２１を備え、便蓋２１は、便器内に開口する貫通孔２３が形成された便受け２２と、便受け２２に対して水を流入させる便受け水流入部２４とを有する。より好ましくは、風を送出するドライユニット３０を備え、便蓋２１は、便座２０側において、貫通孔２３よりも外周に形成されると共に便座２０の内周面に沿った形状に形成された保温用壁２５を有し、ドライユニット３０は、便受け水流入部２４により便受け２２に水が流入された後に、便受け２２に向けて風を送出する。【選択図】図１
2017221518.tif 000002
【特許請求の範囲】
【請求項１】
便器の上面に開閉可能に取り付けられた便座及び便蓋を備え、
前記便蓋は、前記便器内に開口する貫通孔が形成された便受けと、当該便受けに対して水を流入させる便受け水流入部と、を有する洗浄便座装置。
【請求項２】
風を送出するドライユニットを備え、
前記便蓋は、前記便座側において、前記貫通孔よりも外周に形成されると共に前記便座の内周面に沿った形状に形成された保温用壁を有し、
前記ドライユニットは、前記便受け水流出部により前記便受けに水が流入された後に、前記便受けに向けて風を送出する
ことを特徴とする請求項１に記載の洗浄便座装置。
【請求項３】
前記保温用壁は、前記ドライユニットから送出される風を前記便受けに直接送風可能とする通気口が形成されている
ことを特徴とする請求項２に記載の洗浄便座装置。
【請求項４】
風を送出するドライユニットを備え、
前記ドライユニットは、前記便受け水流出部により前記便受けに水が流入された後に、前記便受けに向けて風を送出する
ことを特徴とする請求項１に記載の洗浄便座装置。
【発明の詳細な説明】
【技術分野】
【０００１】
本発明は、洗浄便座装置に関する。
【背景技術】
【０００２】
特許文献１は、水洗トイレの便座上又は便器上に設置するペット用トイレを開示する。特許文献１に開示されたペット用トイレでは、排泄物が直接水洗トイレ内に落下するため、飼い主が水を流すだけで後始末ができる。
【０００３】
特許文献２は、便器上に設置するペット用トイレを開示する。特許文献２に開示されたペット用トイレの上面には、操作手段により開閉可能な便器トレイが備えられている。便器トレイが閉状態のときに、ペットが便器トレイ上に排便する。便器トレイを開状態にすることで排便が便器内へ落下する。
【０００４】
特許文献３は、ペット用便座を具備した水洗便器を開示する。特許文献３に開示された水洗便器は、便蓋の上面中央部に便器内に開口する貫通孔を有する凹部が形成されている。
【先行技術文献】
【特許文献】
【０００５】
【特許文献１】特開２００４−８１２２３号公報
【特許文献２】特開２０００−１８８９８８号公報
【特許文献３】特開昭６１−１４９１１６号公報
【発明の概要】
【発明が解決しようとする課題】
【０００６】
特許文献１〜３は、人間用の水洗便器上にペット用トイレを設置し、排泄物はペット用トイレの排便受けに落下してから便器内へ落下する。よって、排便受けに排泄物が付着したままとなるため衛生的でなく悪臭が発生する。
【０００７】
本発明によれば、上述した課題に鑑み、衛生的であり、悪臭の発生を抑制できる洗浄便座装置を提供することを目的とする。
【課題を解決するための手段】
【０００８】
本発明の一態様に係る洗浄便座装置は、便器の上面に開閉可能に取り付けられた便座及び便蓋を備え、前記便蓋は、前記便器内に開口する貫通孔が形成された便受けと、当該便受けに対して水を流入させる便受け水流入部とを有する。
【０００９】
このような構成によれば、便蓋に形成された便受けにペットが排泄することで、便受けを伝って排泄物が便器内に落下する。便受け水流入部は、便受けに水を流入させて便受けに残った排泄物を便器内に落下させる。よって、便受けに排泄物が残ることがないので衛生的であり、悪臭の発生を抑制できる。
【００１０】
上記洗浄便座装置において、風を送出するドライユニットを備え、前記便蓋は、前記便座側において、前記貫通孔よりも外周側に形成されると共に前記便座の内周面に沿った形状に形成された保温用壁を有し、前記ドライユニットは、前記便受け水流出部により前記便受けに水が流入された後に、前記便受けに向けて風を送出してもよい。
【００１１】
このような構成によれば、ドライユニットにより風を送出することで、便受け表面の水分を取り去り、便蓋を開けた時に便受けから便蓋を伝って水が垂れ落ちることを抑制できるため、洗浄便座装置を清潔に保つことができる。そして、便蓋の便座側に便座の内周面に沿った形状の保温用壁を備える。便受けは便器内に開口する貫通孔が設けられているため、便座が加温された場合には、貫通孔を介して便座表面の暖められた空気が便座と便蓋との間に形成される空間外部へ逃げてしまうおそれがある。これに対して上記本発明に係る構成によれば、保温用壁によって便座表面の暖められた空気が便座と便蓋との間に形成される空間外部へ逃げることを防止できるため、便座の温度低下を抑制できる。
【００１２】
上記洗浄便座装置において、前記保温用壁は、前記ドライユニットから送出される風を前記便受けに直接送風可能とする通気口が形成されてもよい。
【００１３】
このような構成によれば、ドライユニットから送出される風を便受けに直接送風可能とする通気口を保温用壁に設けることで、便受け水流入部により便受けに水が流入された後に、ドライユニットから送出される風を便受けに直接送風することができる。よって、便受け表面の水分を確実に取り去ることができる。
【００１４】
上記洗浄便座装置において、風を送出するドライユニットを備え、前記ドライユニットは、前記便受け水流出部により前記便受けに水が流入された後に、前記便受けに向けて風を送出してもよい。
【００１５】
このような構成によれば、ドライユニットにより風を送出することで、便受け表面の水分を取り去り、便蓋を開けた時に便受けから便蓋を伝って水が垂れ落ちることを抑制できるため、洗浄便座装置を清潔に保つことができる。
【発明の効果】
【００１６】
本発明によれば、上述した課題に鑑み、衛生的であり、悪臭の発生を抑制できる洗浄便座装置を提供できる。
【図面の簡単な説明】
【００１７】
【図１】本発明の一実施形態に係る洗浄便座装置の斜視図。
【図２】本発明の実施形態に係る断面図。
【図３】本発明の変形形態に係る斜視図。
【発明を実施するための形態】
【００１８】
以下、洗浄便座装置１の一実施形態について説明する。
【００１９】
図１は、本発明の一実施形態に係る洗浄便座装置１の斜視図である。洗浄便座装置１は、便座２０、便蓋２１、便受け２２、便受け水流入部２４、保温用壁２５、ドライユニット３０、本体部３５、制御部４０、ロータリーバルブ４１、人用洗浄ノズル４２、水源バルブ４３、操作スイッチ４４、瞬間給湯式温水ヒータユニット４５を備える。便座２０及び便蓋２１は、図示しない便器の上面に開閉可能に取り付けられている。本体部３５は、使用者が便座２０に着座する側の後方に備えられる。便蓋２１は、便受け２２と便受け水流入部２４を備える。便受け２２は、便器内に開口する貫通孔２３が形成されている。便蓋２１に形成された便受け２２にペットが排泄することで、便受け２２を伝って排泄物が便器内に落下する。
【００２０】
便受け水流入部２４は、便受け２２に水を流入する。便受け水流入部２４は、ロータリーバルブ４１と便受け２２を繋ぐ管を有している。便受け水流入部２４の端部は、便受け２２の外周に接続されている。便受け水流入部２４により便受け２２に水が流入されると、便受け２２に流入された水は便受け２２内全体に渡って流れる。そのため、便受け２２に残った排泄物を便器内に落下させることができる。よって、便受け２２に排泄物が残ることがないので衛生的であり、悪臭の発生を抑制できる。
【００２１】
便受け水流入部２４が便受け２２に水を流入させる方法を以下に説明する。操作スイッチ４４が押されることにより、便受け水流入部２４が便受け２２に水を流入させる。操作スイッチ４４が押されると、水源バルブ４３、瞬間給湯式温水ヒータユニット４５、ロータリーバルブ４１、便受け水流入部２４、便受け２２の順に水が流れる。具体的には、操作スイッチ４４が押されると、操作スイッチ４４の信号が制御部４０に送られる。制御部４０は、操作スイッチ４４の信号を受取ると水源バルブ４３を制御する。水源バルブ４３は、瞬間給湯式温水ヒータユニット４５に流される水の量を調整する。瞬間給湯式温水ヒータユニット４５からの水は、人用洗浄ノズル４２又は便受け水流入部２４のどちらか一方へ流れる。ロータリーバルブ４１は、瞬間給湯式温水ヒータユニット４５から流れる水の流れ先を切替える。制御部４０は、瞬間給湯式温水ヒータユニット４５から便受け水流入部２４に水が流れるようにロータリーバルブ４１を制御する。よって、瞬間給湯式温水ヒータユニット４５から便受け水流入部２４に水が流れ、便受け水流入部２４は便受け２２に水を流入する。制御部４０は、人用洗浄ノズル４２に水を流すときは水を温め、便受け水流入部２４へ水を流すときは水を温めないように瞬間給湯式温水ヒータユニット４５を制御する。
【００２２】
ドライユニット３０は、本体部３５の便器側に備えられ、便受け水流出部２４が便受け２２に水を流入させた後に便受け２２に向けて風を送出する。ドライユニット３０により風を送出することで、便受け２２表面の水分を取り去り、便蓋２１を開けた時に便受け２２から便蓋２１を伝って水が垂れ落ちることを抑制できる。このため、洗浄便座装置１を清潔に保つことができる。
【００２３】
保温用壁２５は、便蓋２１の便座２０側において、貫通孔２３よりも外周に形成されている。図１におけるＡ−Ａ断面図を、図２に示す。図２に示すように、便座２０の内周面に沿った形状に形成される。便受け２２は便器内に開口する貫通孔２３が設けられているため、便座２０が加温された場合には、貫通孔２３を介して便座２０表面の暖められた空気が便座と便蓋との間に形成される空間外部へ逃げてしまうおそれがある。これに対して保温用壁２５を備えることにより、保温用壁２５によって便座２０表面の暖められた空気が便座２０と便蓋２１との間に形成される空間外部へ逃げることを防止できる。よって、便座２０の温度低下を抑制できる。
【００２４】
以上詳述したように、本実施形態によれば以下に示す効果を得る。
（１）便蓋２１に形成された便受け２２にペットが排泄することで、便受け２２を伝って排泄物が便器内に落下する。便受け水流入部２４は、便受け２２に水を流入させて便受け２２に残った排泄物を便器内に落下させる。よって、便受け２２に排泄物が残ることがないので衛生的であり、悪臭の発生を抑制できる。
（２）ドライユニット３０により風を送出することで、便受け２２表面の水分を取り去ることができる。よって、便蓋２１を開けた時に便受け２２から便蓋２１を伝って水が垂れ落ちることを抑制できるため、洗浄便座装置１を清潔に保つことができる。そして、便蓋２１の便座２０側に便座２０の内周面に沿った形状の保温用壁２５を備える。便受け２２は便器内に開口する貫通孔２３が設けられているため、便座２０が加温された場合には、貫通孔２３を介して便座２０表面の暖められた空気が便座２０と便蓋２１との間に形成される空間外部へ逃げてしまうおそれがある。これに対して上記本発明に係る構成によれば、保温用壁２５によって便座２０表面の暖められた空気が便座２０と便蓋２１との間に形成される空間外部へ逃げることを防止できるため、便座２０の温度低下を抑制できる。
（３）ドライユニット３０から送出される風を便受け２２に直接送風可能とする通気口を保温用壁に設けることで、便受け水流入部２４により便受け２２に水が流入された後に、ドライユニット３０から送出される風を便受け２２に直接送風することができる。よって、便受け２２表面の水分を確実に取り去ることができる。
（４）ドライユニット３０により風を送出することで、便受け２２表面の水分を取り去ることができる。よって、便蓋２１を開けた時に便受け２２から便蓋２１を伝って水が垂れ落ちることを抑制できるため、洗浄便座装置１を清潔に保つことができる。
（その他の実施の形態）
上述した実施の形態では操作スイッチ４４を押すことで、便受け水流入部２４より便受け２２に水を流入させるが、本発明はこれに限定されない。図３に示すように、本体部３５上面にペット検知センサ４６を備える。ペット検知センサ４６によりペットが便蓋２１上にいるか否かを検知し、制御部４０によりペットが便蓋２０上から離れたことを判断する。制御部４０によりペットが便座２０上から離れたことを検知すると、ペットが便座２０上から離れてから一定時間後に便受け水流入部２４より便受け２２に水を流入させてもよい。
【００２５】
上述した実施の形態ではペット検知センサ４６を便座洗浄装置１の上面に備えるが、便蓋２１上にペットがいることを判断できる位置に備えてもよい。
【００２６】
上述した実施の形態では便受け水流入部２４の端部は、便受け２２の外周に接続されているが、本発明はこれに限定されない。便受け水流入部２４の端部は、便受け２２の外周の一部に接続されている或いは、便受け２２の外周の複数箇所に接続されてもよい。
【００２７】
上述した実施の形態のドライユニット３０は、本体部３５の便器側に備えるが、便受け２２に向けて風を送出できる位置に備えてもよい。
【００２８】
上述した実施の形態では保温用壁２５は、便蓋２１の便座２０側において、貫通孔２３よりも外周に形成されると共に便座２０の内周面に沿った形状に形成されるが、本発明はこれに限定されない。保温用壁２５は、ドライユニット３０から送出される風を便受け２２に直接送風可能とする通気口を形成してもよい。
【００２９】
上述した実施の形態では瞬間給湯式温水ヒータユニット４５は、便受け水流入部２４に水を流す場合は水を温めないとしたが、水を温めてもよい。
【００３０】
上述した実施の形態の便座２０は、使用者が着座する側に暖房機能を有する便座２０としてもよい。
【符号の説明】
【００３１】
１：洗浄便座装置
２０：便座
２１：便蓋
２２：便受け
２３：貫通孔
２４：便受け水流入部
２５：保温用壁
３０：ドライユニット
３５：本体部
４０：制御部
４１：ロータリーバルブ
４２：人用洗浄ノズル
４３：水源バルブ
４４：操作スイッチ
４５：瞬間給湯式温水ヒータユニット
４６：ペット検知センサ
【図１】
2017221518.tif 000003
【図２】
2017221518.tif 000004
【図３】
2017221518.tif 000005